(57)【要約】      （修正有）【課題】複数の蝋燭を立てることができ、組立、使用、搬送も容易な蝋燭立てを提供する。【解決手段】中央に配置された六角筒体Ａと、六角筒体Ａの周囲に固着状態で配置され、六角筒体Ａと同一形状の六角筒体Ｂの集合からなる六角筒体群１１と、六角筒体群１１の各外側凹部１２〜１７の谷底部分に設けられた複数の棒材挿通部１８〜２３と、複数の棒材挿通部１８〜２３のうち、平面視して対向する位置に配置された棒材挿通部にその両側が挿通されて使用にあってはＵ字状に形成される弾力性を有する棒状材２４〜２６と、各六角筒体Ａ、Ｂの下部に設けられた底板部材とを有する。【選択図】図１
0003145833.tif 000002
【実用新案登録請求の範囲】
【請求項１】
中央に配置された六角筒体Ａと、
前記六角筒体Ａの周囲に固着状態で配置され、前記六角筒体Ａと同一形状の六角筒体Ｂの集合からなる六角筒体群と、
前記六角筒体群の各外側凹部の谷底部分に設けられた複数の棒材挿通部と、
前記複数の棒材挿通部のうち、平面視して対向する位置に配置された前記棒材挿通部にその両側が挿通されて使用にあってはＵ字状に形成される弾力性を有する棒状材と、
前記各六角筒体Ａ、Ｂの下部に設けられた底板部材とを有することを特徴とする蝋燭立て。
【請求項２】
請求項１記載の蝋燭立てにおいて、前記六角筒体Ａ及び前記六角筒体Ｂは紙材又はプラスチックシート材からなって、前記棒状材は竹ひごからなることを特徴とする蝋燭立て。
【請求項３】
請求項１及び２のいずれか１記載の蝋燭立てにおいて、前記六角筒体群は、前記六角筒体Ａの周囲に配置された６個の六角筒体Ｂからなることを特徴とする蝋燭立て。
【請求項４】
請求項１及び２のいずれか１記載の蝋燭立てにおいて、前記六角筒体群は、前記六角筒体Ａの周囲に配置された６個の六角筒体Ｂと、該６個の六角筒体Ｂの外側に固着して配置された更に１２個の別の六角筒体Ｂからなることを特徴とする蝋燭立て。
【請求項５】
請求項１〜４のいずれか１記載の蝋燭立てにおいて、前記各六角筒体Ａ、Ｂの底には底板止めが設けられて、板状の発泡プラスチック板又は厚紙からなる平面視して六角形の前記底板部材が前記底板止めの上に取り外し可能に載置されていることを特徴とする蝋燭立て。
【請求項６】
請求項５記載の蝋燭立てにおいて、前記底板部材の上面の少なくとも中央には難燃材が配置されているか、難燃処理が施されていることを特徴とする蝋燭立て。
【請求項７】
請求項１〜６のいずれか１記載の蝋燭立てにおいて、前記底板部材の中央には、立てられる蝋燭の底部に嵌入する剣状物が立設されていることを特徴とする蝋燭立て。
【考案の詳細な説明】
【技術分野】
【０００１】
本考案は複数の蝋燭を立てることが可能で、比較的簡便に製造でき、搬送や保管も容易な蝋燭立てに関する。
【背景技術】
【０００２】
蝋燭は基本の目的である照明用の他に、近年は装飾のために使用されている。また、蝋燭は風によって火が簡単に消えるので、例えば、特許文献１に記載のように、周囲に風避け（カバー）を設けることが広く行われている。更に、このカバーの代わりに網を用いるものや耐熱プラスチックを用いるものも特許文献２に記載されている。
【０００３】
【特許文献１】登録実用新案第３００６０８３号公報
【特許文献２】特開２００４−２４７２８７号公報
【考案の開示】
【考案が解決しようとする課題】
【０００４】
しかしながら、前記した特許文献１、２に記載の蝋燭立ては、一本の蝋燭に対しての工夫であり、蝋燭は光度が低いので、装飾用でも複数の蝋燭が同時に使用される。勿論、特許文献１、２に記載の蝋燭立てを必要数用意すれば、光度もある程度は確保できるが、準備や搬送が手間取り、また数が多いので、収納も嵩張るという問題があった。
【０００５】
本考案はかかる事情に鑑みてなされたもので、複数の蝋燭を立てることが可能で、組立、使用、搬送も容易な蝋燭立てを提供することを目的とする。
【課題を解決するための手段】
【０００６】
前記目的に沿う第１の考案に係る蝋燭立ては、中央に配置された六角筒体Ａと、
前記六角筒体Ａの周囲に固着状態で配置され、前記六角筒体Ａと同一形状の六角筒体Ｂの集合からなる六角筒体群と、
前記六角筒体群の各外側凹部の谷底部分に設けられた複数の棒材挿通部と、
前記複数の棒材挿通部のうち、平面視して対向する位置（即ち、平面視したこの蝋燭立ての中央を通過する線分の両端位置）に配置された前記棒材挿通部にその両側が挿通されて使用にあってはＵ字状に形成される弾力性を有する棒状材と、
前記各六角筒体Ａ、Ｂの下部に設けられた底板部材とを有する。
【０００７】
ここで、蝋燭は底板部材の中央に直接又は剣状物等を介して立てることになる。また、六角筒体Ａ、Ｂは上部が開放であるので、透光性（半透明も含む）があっても非透光性であってもよい。
なお、棒状材の数は、例えば、六角筒体Ａの周囲に６個の六角筒体Ｂを有する場合には、６の外側凹部の谷底にそれぞれ棒材挿通部を設けて、３本の棒状材を使用するのが好ましい。
【０００８】
また、六角筒板Ｂの更にその周囲に１２個の六角筒体Ｂを有する場合は、外側凹部が１２存在することなり、この場合、外側凹部のうち、一つ置きの外側凹部を使用して６個の棒材挿通部を設け、平面視して向かい合う３対の対向する棒材挿通部に３本の棒状材の両側部を挿通してもよい。なお、全部（１２箇所）の外側凹部を使用してその谷底部分に棒状挿通部を設け、６本の棒状材を挿通してもよい。また、棒状材は棒材挿通部の下端から突出させてもよいし、突出させなくてもよい。
【０００９】
また、第２の考案に係る蝋燭立ては、第１の考案に係る蝋燭立てにおいて、前記六角筒体Ａ及び前記六角筒体Ｂは紙材又はプラスチックシート材からなって、前記棒状材は竹ひごからなる。竹ひごは、マダケ、モウソウチク、ハチク、クロチク、ヤダケ、メダケ等の竹材を例えば１〜３ｍｍの太さ（直径）の断面円形又は角形に形成したもので、Ｕ字状に曲げると開く方向に力を発揮する弾力性を有するものをいう。
【００１０】
第３の考案に係る蝋燭立ては、第１、第２の考案に係る蝋燭立てにおいて、前記六角筒体群は、前記六角筒体Ａの周囲に配置された６個の六角筒体Ｂからなる。従って、この場合、７個の六角筒体が存在することになる。
【００１１】
第４の考案に係る蝋燭立ては、第１、第２の考案に係る蝋燭立てにおいて、前記六角筒体群は、前記六角筒体Ａの周囲に配置された６個の六角筒体Ｂと、該６個の六角筒体Ｂの外側に固着して配置された更に１２個の別の六角筒体Ｂからなる。従って、この場合は、（１＋６＋１２＝１９）個の六角筒体を備えることになる。
【００１２】
第５の考案に係る蝋燭立ては、第１〜第４の考案に係る蝋燭立てにおいて、前記各六角筒体Ａ、Ｂの底には底板止めが設けられて、板状の発泡プラスチック板又は厚紙からなる平面視して六角形の前記底板部材が前記底板止めの上に取り外し可能に載置されている。
【００１３】
第６の考案に係る蝋燭立ては、第５の考案に係る蝋燭立てにおいて、前記底板部材の上面の少なくとも中央には難燃材が配置されているか、難燃処理が施されている。ここで、難燃材としては、不燃性のプラスチック、セラミック、金属であってもよい。また、難燃処理は液を塗布してもよいし、コーティング材を貼ってもよい。
【００１４】
そして、第７の考案に係る蝋燭立ては、第１〜第６の考案に係る蝋燭立てにおいて、前記底板部材の中央には、立てられる蝋燭の底部に嵌入する剣状物が立設されている。これによって、蝋燭を安定して簡単に立てることができる。なお、蝋燭として、不燃材容器付きの蝋燭を使用する場合には、剣状物は不要となり、そのまま蝋燭を載せてもよいし、必要な場合は蝋燭を底板部材に固着させてもよい。
【考案の効果】
【００１５】
請求項１〜７記載の蝋燭立ては、中央に配置された六角筒体Ａと、六角筒体Ａの周囲に固着状態で配置され、六角筒体Ａと同一形状の六角筒体Ｂの集合からなる六角筒体群と、六角筒体群の各外側凹部の谷底部分に設けられた複数の棒材挿通部と、複数の棒材挿通部のうち、平面視して対向する位置に配置された棒材挿通部にその両側が挿通されて使用にあってはＵ字状に形成される弾力性を有する棒状材と、各六角筒体Ａ、Ｂの下部に設けられた底板部材とを有するので、棒状材をそれぞれの棒材挿通部に通して組み立てると蝋燭立てになる。各底板部材の上に蝋燭を立てると、少なくとも上部開口部から光が外に出て、装飾性を有する蝋燭立てになる。
また、各六角筒体はお互い固着しているので、組立状態では所定形状を保持し、複数の蝋燭を同時に立てる蝋燭立てとなる。
【００１６】
特に、請求項２記載の蝋燭立てにおいては、六角筒体Ａ及び六角筒体Ｂは紙材又はプラスチックシート材からなって、棒状材は竹ひごからなるので、安価に製造可能である。また、棒状材を棒材挿通部から抜いて、例えば、請求項５記載のように、底板部材を外すと、複数の六角筒体は平面状に折り畳むことができる。
【００１７】
請求項３記載の蝋燭立ては、六角筒体群は、六角筒体Ａの周囲に配置された６個の六角筒体Ｂからなるので、７本の蝋燭を立てる蝋燭立てとなる。
【００１８】
請求項４記載の蝋燭立ては、六角筒体群は、六角筒体Ａの周囲に配置された６個の六角筒体Ｂと、６個の六角筒体Ｂの外側に固着して配置された更に１２個の別の六角筒体Ｂからなるので、全部で１９個の六角筒体を有して、１９個の蝋燭を同時に灯すことができる。
【００１９】
請求項５記載の蝋燭立ては、各六角筒体Ａ、Ｂの底には底板止めが設けられて、板状の発泡プラスチック板又は厚紙からなる平面視して六角形の底板部材が底板止めの上に取り外し可能に載置されているので、底板部材の取付取り外しが容易となる。
【００２０】
請求項６記載の蝋燭立ては、底板部材の上面の少なくとも中央には難燃材が配置されているか、難燃処理が施されているので、蝋燭から底板部材に火が移り難くより安全である。
【００２１】
そして、請求項７記載の蝋燭立てにおいては、底板部材の中央には、立てられる蝋燭の底部に嵌入する剣状物が立設されているので、底穴付きの蝋燭の固定が容易である。
【考案を実施するための最良の形態】
【００２２】
続いて、添付した図面を参照しつつ、本考案を具体化した実施の形態につき説明し、本考案の理解に供する。
ここで、図１は本考案の第１の実施の形態に係る蝋燭立ての斜視図、図２は同一部省略平面図、図３は同正面図、図４は同底側斜視図、図５は本考案の第２の実施の形態に係る蝋燭立ての斜視図である。
【００２３】
図１〜図４に示すように、本考案の第１の実施の形態に係る蝋燭立て１０は、中央に配置された六角筒体Ａと、六角筒体Ａの周囲に固着状態で配置され、六角筒体Ａと同一形状の六角筒体Ｂの集合からなる六角筒体群１１と、六角筒体群１１の各外側凹部１２〜１７の谷底部分に設けられた複数の棒材挿通部１８〜２３と、複数の棒材挿通部１８〜２３のうち、平面視して対向する位置に配置された対となる棒材挿通部（１８、２１）、（１９、２２）、（２０、２３）にその両側がそれぞれ挿通されて使用にあってはＵ字状に形成される弾力性を有する棒状材２４〜２６と、各六角筒体Ａ、Ｂの下部に設けられた底板部材２７とを有する。以下、これらについて詳しく説明する。
【００２４】
各六角筒体Ａ、Ｂを平面視すると、一辺が４〜７ｃｍの正六角形からなって、少し厚みの紙材（例えば、画用紙）等で構成され、各六角筒体Ａ、Ｂの高さは８〜２０ｃｍ程度となっている。なお、紙材は白色、黄色、薄緑色、薄赤色、薄ピンク色等に着色されて、ある程度の透光性を有するのが好ましい。なお、六角筒体Ａ、Ｂのそれぞれを透光性を有するプラスチックシート（例えば、ＰＰ）や合成紙等で構成することもできる。この場合、紙材又はプラスチックシート材等の厚みが例えば０．２〜１ｍｍ程度であって、容易に折曲がらないようになっている。
【００２５】
隣り合う六角筒体Ａ、Ｂは、予め六角筒体を形成しておき、当接する面を接着材（糊）で貼り合わせてもよいし、隣接する六角筒体Ａ、Ｂの側壁を用いて隣にある別の六角筒体Ｂを形成する場合は、この六角筒体Ｂを共有部分でない必要な側壁のみから形成し、隣り合う六角筒体Ａ、Ｂに接合するための糊代を設けて、隣り合う六角筒体Ａ、Ｂに接合してもよい。なお、図２は各六角筒体Ａ、Ｂの面を合わせて貼り付けた場合を示す。
【００２６】
図２に示すように、６個の六角筒体Ｂの外周領域には、外側凹部１２〜１７を有する。外側凹部１２〜１７のそれぞれ谷底部には棒材挿通部１８〜２３が配置されている。棒材挿通部１８〜２３の高さは六角筒体Ｂと同一高さとなっている。棒材挿通部１８〜２３は紙材やプラスチック材を丸めて角又は丸パイプ状としたものからなって、内径は棒状材２４〜２６の太さに合わせて１〜３．４ｍｍ程度となっている。
【００２７】
棒状材２４〜２６はこの実施の形態では直径が０．８〜３．２ｍｍ程度の竹ひごからなっている。棒状材２４〜２６の長さは六角筒体Ａ、Ｂの高さの例えば５〜１２倍の長さとなっている。また、棒状材２４〜２６はＵ字状に曲げて使用するが、Ｕ字状に曲げた状態でＵ字が開くように荷重が働く。これによって、棒状材２４〜２６の両側を棒材挿通部１８〜２３に入れた場合、棒状材２４〜２６が、この蝋燭立て１０の外側方向に突っ張って、容易に抜けないようになる。
【００２８】
また、図３に示すように、Ｕ字状に曲がった棒状材２４〜２６の上端は同一高さ位置で交差させ、しかも、棒材挿通部１８〜２３の下端から２〜５ｃｍ程度棒状材２４〜２６の両端部を突出させておくのが好ましい。なお、この実施の形態（第２の実施の形態においても同じ）においては、断面円形の竹ひごを使用したが、断面長方形の竹ひごを使用する場合も本考案は適用される。
【００２９】
各六角筒体Ａ、Ｂの下位置には六角筒体Ａ、Ｂの下端から突出しない範囲で、底板止め２９〜３１が設けられている。この底板止め２９〜３１は紙材又はプラスチックシートからなって、各六角筒体Ａ、Ｂに対して３つずつ設けられている。図４に示すように、この底板止め２９〜３１はそれぞれ四角形の貼着部３２と、貼着部３２に折れ曲がって繋がる立ち上げ部３３と、立ち上げ部３３に折れ曲がって繋がる支持部３４とを有し、貼着部３２の端部と支持部３４の端部は反対方向を向いている。なお、貼着部３２、立ち上げ部３３及び支持部３４はそれぞれ一辺が０．８〜２．２ｃｍとなっている。
【００３０】
この同一高さ位置に取付られた底板止め２９〜３１の上には、底板部材２７が載っている。この底板部材２７は各六角筒体Ａ、Ｂの内側に密接嵌入する六角形となって、その上の中央部に蝋燭が載るようになっている。底板部材２７の材質は、発泡スチロール等のプラスチック材（板状の発泡プラスチック板）又は紙材（例えば、厚紙）が使用される。
【００３１】
この実施の形態においては、底板部材２７の上に直接不燃材製の容器付きの蝋燭を載置したが、中央に底穴付き蝋燭を立てるために使用する剣状物を配置することもできる。この剣状物としては、釘等を底板部材２７の底部から打ち込んで、釘先を底板部材２７の上面から突出させたものであってもよい。
また、蝋燭をそのまま置く場合は、底板部材２７の上面の少なくとも中央には、難燃材が配置されているか、難燃処理が施されている。
【００３２】
続いて、図５を参照しながら、本考案の第２の実施の形態に係る蝋燭立て３６について説明する。なお、この蝋燭立て３６は、第１の実施の形態に係る蝋燭立て１０の六角筒体群１１の外側に、更に別の六角筒体群３７を設けたものであるので、蝋燭立て１０の構成要素と同一の構成要素は同一の番号を付して詳しい説明を省略する。
【００３３】
平面視して蝋燭立て３６の中央には、六角筒体Ａが配置され、その周囲に６個の六角筒体Ｂからなら六角筒体群１１が配置され、更にその外側に、１２個の六角筒体Ｂからなる別の（即ち、第２の）六角筒体群３７が設けられ、全体として六角筒体Ａの周囲を二重に囲む六角筒体群が形成されている。六角筒体群１１、３７を構成する六角筒体Ｂは全て同一形状となって、その断面は正六角形である。
【００３４】
蝋燭立て３６の周りには１２の外側凹部３９〜５０が設けられ、その一つ置きの外側凹部３９、４１、４３、４５、４７、４９には棒材挿通部５２〜５７が設けられている。この棒材挿通部５２〜５７は、先に述べた棒材挿通部１８〜２３と同一である。そして，この蝋燭立て３６を平面視して向かい合って対となる棒材挿通部（５２、５５）、（５３、５６）、（５４、５７）にはそれぞれ竹ひごからなる棒状材５８〜６０の両側が挿通されている。これらの棒状材５８〜６０は弾力性を有して、棒材挿通部（５２、５５）、（５３、５６）、（５４、５７）に挿通すると、１９個の六角筒体Ａ、Ｂを外側に均等に広げようとすると共に、棒状材５８〜６０が棒材挿通部（５２、５５）、（５３、５６）、（５４、５７）から抜けないように保持される（第１の実施の形態においても同様）。
【００３５】
棒状材５８〜６０の両端部は棒材挿通部（５２、５５）、（５３、５６）、（５４、５７）から一定距離（例えば１〜５ｃｍ）突出し、この蝋燭立て３６を床に置いた場合、六角筒体Ａ、Ｂの下端を床面から持ち上げている。棒状材５８〜６０の直径等は第１の実施の形態と同一であるが、長さは六角筒体Ｂの高さの７〜１５倍程度となっている。なお、棒状材５８〜６０は長いので、棒材挿通部内で棒材挿通部の下から突出する部分と棒材挿通部の上から突出する部分を別々に構成し、棒材挿通部内で重合させることもできる。
【００３６】
各六角筒体Ａ、Ｂの下部には、底板部材が配置され、その上に蝋燭を立てることができるようになっている。六角筒体Ａ、Ｂを透明又は半透明とした場合には、上部開口から蝋燭の光が放射されるのみでなく、その周囲方向にも輝く。また、底板部材を透明又は半透明にした場合には、下方にも光が漏れることになる。
この蝋燭立て３６の持ち運びについては、Ｕ字状に折れ曲がった棒状材５８〜６０の上部を持つことになる。
【００３７】
前記実施の形態においては、具体的に寸法を示して説明したが、本考案の要旨を変更しない範囲で、寸法変更は可能である。
また、第２の実施の形態において、棒状材の数は３であったが、状況に応じて４、５、６とすることもできる。
前記実施の形態においては、棒状材は竹ひごであったが、その他の材料、例えば、プラスチックや金属等を用いて構成することもできる。
また、図１において、棒材挿通部１８〜２３の上から出る部分の棒状材２４〜２６は曲がっているように記載されているが、直線の場合も当然本考案は適用される。
【図面の簡単な説明】
【００３８】
【図１】本考案の第１の実施の形態に係る蝋燭立ての斜視図である。
【図２】同一部省略平面図である。
【図３】同正面図である。
【図４】同底側斜視図である。
【図５】本考案の第２の実施の形態に係る蝋燭立ての斜視図である。
【符号の説明】
【００３９】
１０：蝋燭立て、Ａ、Ｂ：六角筒体、１１：六角筒体群、１２〜１７：外側凹部、１８〜２３：棒材挿通部、２４〜２６：棒状材、２７：底板部材、２９〜３１：底板止め、３２：貼着部、３３：立ち上げ部、３４：支持部、３６：蝋燭立て、３７：六角筒体群、３９〜５０：外側凹部、５２〜５７：棒材挿通部、５８〜６０：棒状材
【図１】
0003145833.tif 000003
【図２】
0003145833.tif 000004
【図３】
0003145833.tif 000005
【図４】
0003145833.tif 000006
【図５】
0003145833.tif 000007